(57)【特許請求の範囲】
【請求項１】
口腔内の流体を吸引する手持ち型歯科用吸引装置において、流体通路に、
吸引量調整用の板体部（２１ａ）とその両端部に直交し、外端面に中心から半径方向へ削成されたガイド溝（２１ｃ）が設けられた円板部（２１ｂ）を有する弁体（２１）と、
前記弁体（２１）を回動自在に摺接・支承する円穴状支持部（２２ａ）を具有する円筒状の弁箱本体（２２ｂ）と、
前記弁箱本体（２２ｂ）が挿嵌され側壁にスリット（２２ｄ）を有する円筒状の弁箱ケース（２２ｃ）とからなる弁箱（２２）と、
前記弁箱ケース(２２ｃ)の側面に被装された、内壁に突起桿（２３ａ）を有する半円筒状のスライド式吸引量調整レバー（２３）とからなる開閉弁を備えてなることを特徴とする歯科用吸引装置。
【発明の詳細な説明】
【技術分野】
【０００１】
本発明は、吸引量調整機構を備えた歯科用吸引装置に関する。
【背景技術】
【０００２】
従来、歯科治療において、口腔内の歯牙や補綴物の切削や除去等の際に生ずる粉塵や、唾液、薬液等を吸引する歯科用吸引装置には、吸引量調整機構を有するものがあり、一般的に、円柱状の弁体が採用されていた。ここでいう吸引量とは、単位時間当たりの吸引する量である。
【先行技術文献】
【特許文献】
【０００３】
【特許文献１】実用新案登録第３１６５５７１号公報
【発明の概要】
【発明が解決しようとする課題】
【０００４】
しかし、従来の吸引量調整機構を有する歯科用吸引装置は、長期間使用すると吸引量調整がしにくくなる場合があった。
これは、吸引量調整の際に回転する円柱状の弁体とそれを収納する弁箱側との間の狭い隙間に、口腔内から吸引された切削粉等が挟まり、回転が阻害されるためである。
本発明では、長期間使用しても吸引量調整がしにくくならない歯科用吸引装置を提供する。
【課題を解決するための手段】
【０００５】
上記に鑑み本発明者等は鋭意実験研究の結果、下記の手段により課題を解決した。
（１）口腔内の流体を吸引する手持ち型歯科用吸引装置において、流体通路に、吸引量調整用の板体部（２１ａ）とその両端部に直交し、外端面に中心から半径方向へ削成されたガイド溝（２１ｃ）が設けられた円板部（２１ｂ）を有する弁体（２１）と、
前記弁体（２１）を回動自在に摺接・支承する円穴状支持部（２２ａ）を具有する円筒状の弁箱本体（２２ｂ）と、
前記弁箱本体（２２ｂ）が挿嵌され側壁にスリット（２２ｄ）を有する円筒状の弁箱ケース（２２ｃ）とからなる弁箱（２２）と、
前記弁箱ケース(２２ｃ)の側面に被装された、内壁に突起桿（２３ａ）を有する半円筒状のスライド式吸引量調整レバー（２３）とからなる開閉弁を備えてなることを特徴とする歯科用吸引装置。
【発明の効果】
【０００６】
本発明によれば次のような優れた効果を発揮することができる。
口腔内の流体を吸引する手持ち型歯科用吸引装置において、流体通路に、
Ａ．吸引量調整用の板体部（２１ａ）とその両端部に直交し、外端面に中心から半径方向へ削成されたガイド溝（２１ｃ）が設けられた円板部（２１ｂ）を有する弁体（２１）と、
Ｂ．前記弁体（２１）を回動自在に摺接・支承する円穴状支持部（２２ａ）を具有する円筒状の弁箱本体（２２ｂ）と、
Ｃ．前記弁箱本体（２２ｂ）が挿嵌されかつ、側壁にスリット（２２ｄ）を有する円筒状の弁箱ケース（２２ｃ）
とからなる弁箱（２２）と、
Ｄ．前記弁箱ケース(２２ｃ)の側面に被装された、内壁に突起桿（２３ａ）を有する半円筒状のスライド式吸引量調整レバー（２３）
とからなる開閉弁を備えてなり、
Ａ弁体（２１）とＢ弁箱本体（２２ｂ）とＣ弁箱ケース（２２ｃ）とＤスライド式吸引量調整レバー（２３）との簡単な構造の各ユニットから成っていて、それらの組立・分解が極めて容易である。
よって、清掃や取替等のメンテナンスも容易であり、また前記吸引量調整レバーの直線運動を前記弁体の回転運動に変換する機構を備えてなり、弁体を回動自在に摺接・支承する円穴状支持部（２２ａ）の支承幅は極小さいため、弁体保持用の円板部と弁箱の間の狭い隙間ができる面積が小さく、そこに切削粉等が挟まり回転を阻害することはほとんどなく、したがって、長期間使用しても吸引量の調整がしにくくならない。
また、前記吸引量調整レバーの移動量に比例して吸引量を直線的に増減することができる。
さらに、施術者が手元で吸引量調整レバーを直線的に操作することにより吸引量の調整ができるので操作性に優れ、例えば口腔内の粘膜を吸引してしまった場合等でも、速やかに吸引を停止することができ、患者の負担も大幅に減少する。
【０００７】
また、吸引量調整レバーを直線的にスライドさせると吸引量調整レバーの突起は、スリットを通してガイド溝の側面を押しながらスライドするため、連動してガイド溝の回転角度が変わり、弁体の回転運動に変換されるため、回転直線運動変換を、前記スライドと連動して吸引装置の内部において変換効率良く行なうことができる。
【図面の簡単な説明】
【０００８】
【図１】歯科用吸引装置の外観斜視図
【図２】歯科用吸引装置構成分解模式図
【図３】弁体と吸引量調整レバーの突起との嵌合部分を示す縦断面模式図
【図４】弁体の外観斜視図
【図５】吸引量最大時の歯科用吸引装置の縦断面図
【図６】吸引量最大時の歯科用吸引装置の横断面模式図
【図７】吸引量最小時の歯科用吸引装置の縦断面図
【図８】吸引量最小時の歯科用吸引装置の横断面模式図
【図９】吸引量最大時の吸引量調整レバーと弁体との連動作用説明図
【図１０】吸引量中間時の吸引量調整レバーと弁体との連動作用説明図
【図１１】吸引量最小時の吸引量調整レバーと弁体との連動作用説明図
【図１２】従来の歯科用吸引装置の外観斜視一部透視図
【図１３】従来の円柱状の弁体を示す外観斜視図
【発明を実施するための最良の形態】
【０００９】
発明を実施するための形態を以下順次説明する。
図１は本発明の歯科用吸引装置の外観斜視図である。
図において、２は歯科用吸引装置、２２は弁箱、２２ｃは弁箱ケース、２３は吸引量調整レバー、２５はホース、２７はノズル継ぎ手、２８ａカバーａ、２８ｂはカバーｂ、２８ｃはカバーｃを示す。
施術者は吸引量調整用の吸引量調整レバー２３を手指で操作することにより、吸引量を調整することができる。
なお、本図では後記弁体（２１）及び弁箱本体（２２ｂ）は図示されない。
【００１０】
図２は歯科用吸引装置構成分解模式図。
図において、２２ａは円穴状支持部、２２ｂは弁箱本体、２２ｄはスリット、２３ａは突起桿、２４は流体通路を示す。
なお、本図では弁箱２２に継合されるノズル継ぎ手及びホース側の部分は省略されている。
図示したように、歯科用吸引装置２の吸引量調整機構は、弁体２１と、弁箱本体２２ｂと弁箱ケース２２ｃからなる弁箱２２と、吸引量調節レバー２３によって構成される。
弁体２１は弁箱本体２２ｂの側面に設けられた円穴状支持部２２ａに挿嵌され、
弁箱本体２２ｂと一体としてから、円筒状の弁箱ケース２２ｃの中に挿嵌される。
そして、弁箱ケース２２ｃの外壁面には、その長手方向にスライド可能な半円筒状の吸引量調整レバー２３が設けられてなる。
【００１１】
図３は弁体と吸引量調整レバー突起との嵌合部分を示す縦断面模式図である。
吸引量調整レバー２３の内壁に垂設された突起桿２３ａ(図２)は、弁箱ケース２２ｃの側壁に開けられたスリット２２ｄを貫挿して、弁体２１のガイド溝２１ｃに遊嵌されている。
吸引量調整レバー２３を弁箱ケースの長手方向にスライドさせると、弁体２１は連動して回転する(図９〜１３参照)。
また、前記弁箱本体２２ｂの円穴状支持部２２ａにおいて、弁体２１の円板部２１ｂの外周の一部が小面積で摺接・支承されていることを示す。
【００１２】
図４は弁体の外観斜視図である。
図において、２１は弁体、２１ａは板体部、２１ｂは円板部、２１ｃはガイド溝を示す。
図示したように、円板部２１ｂにはその外端面に中心から半径方向へ削成されたガイド溝２１ｃが設けられている。
そして、前記のように円板部２１ｂを回転させると板体部２１ａの角度が変わり、吸引量が変化する。
【００１３】
図５は、吸引量最大時の歯科用吸引装置の縦断面図である。
図示したように、流体通路２４に対し吸引量調整用の板体部２１ａは平行となっており、吸引量は最大となる。
【００１４】
図６は吸引量最大時の歯科用吸引装置の横断面模式図で、前記図５のＡ−Ａ断面である。
弁体２１が弁箱本体２２ｂ内に挿着された後、弁箱ケース２２ｃの中に挿着され、さらに、吸引量調整レバー２３が弁箱ケース２２ｃの外壁側面に装着されて、一体となった状態を示す。
また、弁体２１の板体部２１ａは弁箱本体２２ｂの流体通路２４と平行で、板体部２１ａの左右に開口部ができる。
流体通路２４は各構成部品の形状を簡素化するとともに、限られたスペースの中でより大きな流体通路断面積を得るために方形としている。
さらに、弁体２１の円板部２１ｂの外周の一部が小面積で弁箱本体２２ｂの円穴状支持部２２ａに摺接・支承されていることを示している。
【００１５】
図７は吸引量最小時の歯科用吸引装置の縦断面図である。
図示したように、流体通路２４に対し吸引量調整用の板体部２１ａは垂直で流体通路２４を塞ぐため吸引量は最小となる。
【００１６】
図８は吸引量最小時の歯科用吸引装置の横断面模式図で、図７のＢ−Ｂ断面である。
構成は前記図６と同様であるが、弁体２１の板体部２１ａは図６の場合から９０°回動し、流体通路２４と垂直となって流体通路を塞いでいるため吸引量は最小となる。
【００１７】
図９は、吸引量最大時の吸引量調整レバーと弁体との連動作用説明図である。
前述したように、弁体２１の保持用の円板部２１ｂは、その両端面に中心から半径方向に削成されたガイド溝２１ｃを有しており、吸引量調整レバー２３は、その内壁の両側に垂設された突起桿２３ａを有している。
また、弁箱ケース２２ｃの側面にはスリット２２ｄが開孔されており、突起桿２３ａはスリット２２ｄを通してガイド溝２１ｃに垂直に遊嵌されている。
そして、吸引量調整レバー２３を可動範囲一杯にスライドさせると、円穴状支持部２２ａによって支持された弁体２１は、突起桿２３ａを介して回動し、図のように吸引量調整用の板体部２１ａは流体通路２４に対して平行となり、吸引量は最大になる。
前記の吸引量調整レバーと弁体との連動作用は、前述した本装置の直線回転運動変換機構によるもので、吸引量調整レバーを直線的にスライドさせると突起は、スリットを通してガイド溝の側面を押しながらスライドするため、連動してガイド溝の回転角度が変わり、弁体の回転運動に変換される。
【００１８】
図１０は、吸引量中間時の吸引量調整レバーと弁体との連動作用説明図である。
吸引量調整レバー２３を可動範囲の中央付近にスライドさせると、
円穴状支持部２２ａによって支持された弁体２１は、突起桿２３ａを介して回動し、図のように吸引量調整用の板体部２１ａは流体通路２４に対し斜めになり、吸引量は中くらいになる。
【００１９】
図１１は、吸引量最小時の吸引量調整レバーと弁体との連動作用説明図である。
吸引量調整レバー２３を図１３とは反対方向の可動範囲一杯にスライドさせると、円穴状支持部２２ａによって支持された弁体２１は、突起桿２３ａを介して回動し、図のように吸引量調整用の板体部２１ａは流体通路２４に対し垂直となり、吸引量は最小になる。
【００２０】
図１２は、従来の歯科用吸引装置の外観斜視一部透視図である。
図において、３は歯科用吸引装置、３１は弁体、３２は弁箱、３２ａは円穴状支持部、３３は吸引量調整レバー、３４は流体通路を示す。
図示したように、弁箱３２の側面に円穴状支持部３２ａが設けられ弁体３１が嵌装されている。
また、前記弁体３１の両外側端は、弁箱３２の外壁に露出されている。
かつ、弁箱３２の外壁に露出された片方の外側面端には、吸引量調整レバー３３が突設されている。
施術者は、吸引量調整レバー３３を操作し、弁体３１を回転させることにより吸引量を調整することができる。
【００２１】
図１３は、従来の円柱状の弁体を示す外観斜視図である。
図において、３１ａは吸引量調整孔、３１ｂは円柱部、３６はＯリングを示す。
図示したように、弁体３１の円柱部３１ｂの側面から吸引量調整孔３１ａが貫通する形で設けられている。
施術者が前記吸引量調整レバー３３を操作することにより、弁体３１は回動される。
それにともない前記流体通路３４に対する吸引量調整孔３１ａの向きが変わり吸引量を調整することができる。
しかし、円柱部３１ｂが弁体３１のほぼ全体を占めるため、弁箱３２と弁体３１との間にできる狭い隙間が常時広い面積にわたって存在し、口腔内から吸引された切削粉等が詰まり、回転が阻害される可能性が高かった。このため吸引量の調整がしにくくなる場合があった。
【符号の説明】
【００２２】
２：歯科用吸引装置
２１：弁体
２１ａ：板体部
２１ｂ：円板部
２１ｃ：ガイド溝
２２：弁箱
２２ａ：円穴状支持部
２２ｂ：弁箱本体
２２ｃ：弁箱ケース
２２ｄ：スリット
２３：吸引量調節レバー
２３ａ：突起桿
２４：流体通路
２５：ホース
２７：ノズル継ぎ手
２８ａ：カバーａ
２８ｂ：カバーｂ
２８ｃ：カバーｃ
３：従来の歯科用吸引装置
３１：弁体
３１ａ：吸引量調整孔
３１ｂ：円柱部
３２：弁箱
３２ａ：円穴状支持部
３３：吸引量調整レバー
３４：流体通路
３５：ホース
３６：Ｏリング
【図１】
0005888809.tif 000002
【図２】
0005888809.tif 000003
【図３】
0005888809.tif 000004
【図４】
0005888809.tif 000005
【図５】
0005888809.tif 000006
【図６】
0005888809.tif 000007
【図７】
0005888809.tif 000008
【図８】
0005888809.tif 000009
【図９】
0005888809.tif 000010
【図１０】
0005888809.tif 000011
【図１１】
0005888809.tif 000012
【図１２】
0005888809.tif 000013
【図１３】
0005888809.tif 000014